(57)【特許請求の範囲】
【請求項１】
合成樹脂製の注出口及びねじ蓋から成っており、前記注出口は円筒状の本体を備えており、この本体に、包装袋の開口部が溶着される溶着部と、前記ねじ蓋がねじ込み装着される雄ねじ部とを形成している構成であって、
前記注出口の溶着部は、前記本体の軸方向に並んだ複数枚の水平リブを有しており、前記各水平リブは、前記本体の軸心を挟んだ両側に張り出していて前記本体の軸心方向から見て全体として細長くなっていると共に、前記本体の軸心方向から見て、長手方向の中間部は幅寸法が略一定の平行部となってこの平行部を挟んだ両側は先端に行くに従って幅寸法が小さくなる窄まり部になっており、その結果、前記各水平リブは、前記本体の軸方向から見て六角形を扁平状に潰したような形態になっており、
更に、隣り合った水平リブの窄まり部と前記本体とは、前記水平リブの長手方向に延びる縦リブで一体に繋がっており、前記縦リブは、前記窄まり部の先端から前記本体の外周まで途切れることなく一連に伸びている、
包装袋用口装置。
【発明の詳細な説明】
【技術分野】
【０００１】
本願発明は、包装袋の開口部に取り付けて内容物の封止及び注出を行う合成樹脂製の口装置に関するものである。
【背景技術】
【０００２】
近年、例えば液体飲料やゼリー状飲料等の流体物品の包装体として、ガスバリアー性の高い積層構造の袋（パウチ）が多く使用されるに至っている。この包装袋には、注出口とねじ蓋とからなる合成樹脂製の口装置が使用されており、口装置は、一般に、例えば特許文献１に示す構造になっている。
【０００３】
注出口は円筒状の本体を備えており、この本体には、複数の水平リブを有する溶着部と、ねじ蓋２６がねじ込まれる雄ねじ（図示せず）と、内容物の充填・キャッピングに際して使用される中間フランジとが形成されている。他方、ねじ蓋は、流通過程でのバージン性を確認できるように、ＰＰバンド（ピルファープルーフバンド又はタッパーエビデンスバンド）２７が破断可能なブリッジ部（図示せず）を介して繋がったＰＰキャップが使用されている。
【０００４】
そして、注出口において、本体の軸方向から見た状態（すなわち平面視又は底面視）での溶着部の形状は、長手方向の中間部は本体と同心の円弧状部となって、円弧状部を挟んだ両側の部分は先端に行くに従って幅寸法が小さくなる窄まり部になっており、従って、全体として、本体の軸方向から見ると溶着部は人の目玉に似た形状（或いは両端を尖らせた楕円形状）になっている。
【特許文献１】特開２００４−５９０７１号公報
【発明の開示】
【発明が解決しようとする課題】
【０００５】
包装袋に包装された物品を消費者が購入してから開封する場合、包装袋の外側から溶着部を一方の手（一般には左手）の指で摘み、他方の手（一般には右手）の指でねじ蓋を摘んでねじ戻すという操作をしている。従来は、人の指の引っ掛かりを良くするために溶着部を目玉形に形成していると言える。しかし、溶着部が完全な円形である場合に比べたら従来技術も開封しやすといえるが、人の指が溶着部から滑る現象（換言すると、溶着部がねじ蓋と一緒に連れ回りしようとする現象）が生じて開封しにくい場合があった。
【０００６】
特に、シール性を高めるためねじ蓋をきつく締め付けていると、特に開封が厄介であった。また、消費者が女性や子供、或いはお年寄りのように非力な人であるほど開封の困難性は高くなり、また、本体の外径が小径になるほど開封しにくくなる。
【０００７】
本願発明は、このような現状を改善することを課題として成されたものである。
【課題を解決するための手段】
【０００８】
この種の口装置において、開封に際して溶着部を指で摘むこと自体は避けられないから、開封を容易ならしめるためには指の引っ掛かりを良くしたら良い。この点に着目して本願発明者は本願発明を完成させるに至った。
【０００９】
すなわち本願発明の口装置は基本構成は従来と同様であり、合成樹脂製の注出口及びねじ蓋から成っており、前記注出口は円筒状の本体を備えており、この本体に、包装袋の開口部が溶着される溶着部と、前記ねじ蓋がねじ込み装着される雄ねじ部とを形成している。
【００１０】
そして、本願発明の特徴として、前記注出口の溶着部は、前記本体の軸方向に並んだ複数枚の水平リブを有しており、前記各水平リブは、前記本体の軸心を挟んだ両側に張り出していて前記本体の軸心方向から見て全体として細長くなっていると共に、前記本体の軸心方向から見て、長手方向の中間部は幅寸法が略一定の平行部となってこの平行部を挟んだ両側は先端に行くに従って幅寸法が小さくなる窄まり部になっており、その結果、前記各水平リブは、前記本体の軸方向から見て六角形を扁平状に潰したような形態になっており、更に、隣り合った水平リブの窄まり部と前記本体とは、前記水平リブの長手方向に延びる縦リブで一体に繋がっており、前記縦リブは、前記窄まり部の先端から前記本体の外周まで途切れることなく一連に伸びている。
【発明の効果】
【００１１】
本願発明によると、溶着部を構成する水平リブのうち長手方向の中間部は平行部（平坦部）になっているため、溶着部を摘んでねじ蓋をねじ戻すにおいて、指に対する溶着部の引っ掛かりが良くなる。このため、ねじ蓋をねじ戻すに際して注出口を回転不能にしっかりと保持することができ、その結果、開封を軽快に行える。
【発明を実施するための最良の形態】
【００１２】
次に、本願発明の実施形態を図面に基づいて説明する。図１〜図２では第１実施形態を示している。まず、第１実施形態について説明する。
【００１３】
(1).第１実施形態
図１のうち（Ａ）は注出口１にねじ蓋２を装着した状態での口装置の正面図、（Ｂ）は注出口１とねじ蓋２と分離した正面図、（Ｃ）は注出口１の平面図、（Ｄ）は（Ｂ）のＤ−Ｄ視断面図、（Ｅ）は（Ｂ）のＥ−Ｅ視断面図、（Ｆ）は注出口１の底面図、（Ｇ）は注出口１の縦断正面図、図２のうち（Ａ）は包装袋Ｓの一部を省略した状態での正面図、（Ｂ）は注出口１の側面図、（Ｃ）は作用を示す図である。
【００１４】
各図から容易に理解できるように、口装置の基本的な構成は従来と同様であり、注出口１は略円筒状の本体３を備えており、ねじ蓋２は、破断可能なブリッジ部（図示せず）を介して一体に繋がったＰＰバンド４を備えている。詳細は省略するが、ＰＰバンド４の内面に内向きの突起を設けている。注出口１及びねじ蓋２は例えばポリエチレンやポリプロピレン等の合成樹脂を素材として射出成形法等で製造されている。
【００１５】
注出口１における本体３のうち上部には雄ねじ５が形成されて、下部には４枚の水平リブ６と左右１枚ずつの縦リブ７とからなる溶着部８が形成されており、更に、本体３のうち雄ねじ５と溶着部８との間には、ねじ蓋２におけるＰＰバンド４を引っ掛けるための第１フランジ９と、充填及びキャッピングに際して注出口１を一定姿勢に保持しておくための２枚の第２フランジ１０とが形成されている。
【００１６】
（Ｂ）及び（Ｄ）に示すように、上下の第２フランジ１０の間の部分には、本体３の軸線方向から見た状態（すなわち平面視又は底面視）で第２フランジ１０の長手方向と直交した方向（短手方向）に平行に延びる左右２本の補助リブ１１が形成されている。補助リブ１１は、本体３に接すると共に上下の第２フランジ１０に繋がっている。補助リブ１１は、充填及びキャッピングに際して注出口１の姿勢を一定に保持するためのものである。
【００１７】
第１フランジ９は、外形が円形（真円形）になっていて第２フランジ１０の上方に配置されている。第２フランジ１０は、本体３の軸方向から見て一方向に細長い形状であり、その中間部は幅寸法Ｗ１が等しい平行部１０ａになっており、平行部（平坦部と呼んでも良い）１０ａを挟んだ両側の部分は、幅寸法Ｗ１が先端に行くに従って（本体３から離れるに従って）小さくなった山形の窄まり部９ｂになっている。第２フランジ１０における平行部１０ａの幅寸法は第１フランジ９の外径よりも小さくて本体３の外径よりは僅かに大きい寸法になっている。
【００１８】
注出口１の溶着部８（水平リブ６）は、本体３の軸線方向から見た状態（すなわち平面視又は底面視）において、第２フランジ１０と同じ方向に細長く延びており、かつ、長手方向の中間部は幅寸法Ｗ２が略一定の平行部８ａになっており、平行部８ａを挟んだ両側は先端に行くに従って幅寸法Ｗ２が小さくなる窄まり部８ｂになっている。従って、溶着部８は全体として六角形を扁平状に潰したような形状になっている。平行部８ａの長さ寸法（溶着部８の長手方向に延びる寸法）Ｌは本体３の外径と略同じ程度の寸法になっている。溶着部８の左右先端は縦リブ７よりも薄い上下長手のエンドリブ１２になっている。図１（Ｅ）や図２（Ｃ）のとおり、縦リブ７は、本体３の外周から水平リブ６の先端まで途切れることなく一連に延びている。
【００１９】
溶着部８と第２フランジ１０とは注出口１の軸方向から見て相似形になっており、かつ、溶着部８が第２フランジ１０よりも僅かに小さく設定されている。従って、袋Ｓを溶着部８に嵌め込む（或いは溶着部８を包装袋Ｓに嵌め込む）に際して下段の第２フランジ１０が包装袋Ｓの縁に対するストッパーとして機能している。
【００２０】
以上の口装置で封止した包装袋Ｓを開封する場合、図２（Ｃ）に示すように溶着部８の箇所を一方の手の指で摘み、他方の手の指でねじ蓋２をねじ戻すことになる。そして、溶着部８に平行部８ａを設けていると、図２（Ｃ）に矢印で示すように、溶着部８が回転しようとするとその外力が指の表面に対して直交した方向の分力としても作用することになり、このため、指Ｆに対する溶着部８の引っ掛かりが強くなる。その結果、溶着部８がねじ蓋２と一緒に連れ回りすることを防止して、開封を軽快に行うことができる。
【００２１】
場合によっては、開封に際して第２フランジ１０に指が当たる場合もあるが、本実施形態のように第２フランジ１０を溶着部８と相似形に形成しておくと、第２フランジ１０も開封に際して注出口１の回り止め機能を果たすため、注出口１をよりしっかりと掴むことができて好適である。この場合、少なくとも下段の第２フランジ１０を溶着部８と相似形（又は同じ形状で同じ大きさ）に設定したら良い。
【００２２】
(2).他の実施形態（図３）
図３（Ａ）では他の実施形態を示している。この実施形態では、溶着部８が六角形を扁平状に潰した形態であることは第１実施形態と同様であるが、本体３のうち少なくとも溶着部８の箇所を小判形に形成することにより、平行部８ａの幅寸法をできるだけ小さくしている。
【００２３】
図３のうち（Ｂ）に示すのは参考例であり、この参考例では、溶着部８を本体３の軸方向からみて小判形に形成している。換言すると、窄まり部８ｂを平面視（又は底面視）で半円状に形成している。（Ｂ）に一点鎖線で示すように、窄まり部８ｂを軸方向から見て外向き凹状に凹ませると本願の実施形態になる。
【００２４】
(3).その他
本願発明は上記の実施形態の他にも様々に具体化できる。例えば、水平リブの枚数は必要に応じて任意に設定できる。本体に包装袋の底近くまで延びる柱を設けることも可能である。
【００２５】
また、本願発明の口装置が使用される包装袋は可撓性があるものすべてを含んでおり、樹脂のみの積層物又は樹脂とアルミ箔との積層物からなるものの他に、金属箔又は金属シートに樹脂層をラミネートした素材から成るチューブ状のものや、マヨネーズ容器や点滴液包装袋のような厚肉の樹脂シート（或いはゴムシート）からなるものなども含んでいる。
【図面の簡単な説明】
【００２６】
【図１】第１実施形態の形態・構造を示す図である。
【図２】第１実施形態の構造及び作用を示す図である。
【図３】他の実施形態と参考例を示す図である。
【符号の説明】
【００２７】
１  注出口
２  ねじ蓋
３  注出口の本体
４  ねじ蓋のＰＰバンド
５  本体の雄ねじ
６  溶着部を構成する水平リブ
７  溶着部を構成する縦リブ
８  注出口の溶着部
８ａ  平行部
８ｂ  窄まり部
９，１０  中間フランジ
【図１】
0005201647.tif 000002
【図２】
0005201647.tif 000003
【図３】
0005201647.tif 000004